(57)【特許請求の範囲】
【請求項１】
基材層の片面に感熱もしくは感圧発色層を積層し、前記感熱もしくは感圧発色層上に地紋や細かいマークまたは単色のベタ印刷の印刷層を設け、当該印刷層上にパール顔料を混入した光干渉性反射層を形成した偽造防止印刷物において、前記光干渉性反射層が部分的に形成されており、当該光干渉性反射層が形成されていない部分から前記感熱もしくは感圧発色層の発色済み層が認識されるようにされていることを特徴とする偽造防止印刷物。
【請求項２】
前記光干渉性反射層がある一定波長の光を反射し、他の波長の光を透過する層であることを特徴とする請求項１記載の偽造防止印刷物。
【請求項３】
前記感熱もしくは感圧発色層が一定条件にて黒色に発色することを特徴とする請求項１、２記載の偽造防止印刷物。
【請求項４】
前記基材層の片面に感熱もしくは感圧発色層を設けた状態、または前記基材層の片面に前記感熱もしくは感圧発色層を積層し、前記感熱もしくは感圧発色層上の前記印刷層を設けた状態における表面の光線反射率が５０％以上であることを特徴とする請求項１〜３記載の偽造防止印刷物。
【請求項５】
前記光干渉性反射層の反射光の色相と前記印刷層の色相とが同系色であることを特徴とする請求項１〜４記載の偽造防止印刷物。
【請求項６】
前記光干渉性反射層の透過光の色相と前記印刷層の色相とが同系色であることを特徴とする請求項１〜４記載の偽造防止印刷物。
【請求項７】
前記光干渉性反射層上に透明保護層を積層したことを特徴とする請求項１〜６記載の偽造防止印刷物。
【請求項８】
前記基材層のもう一方の面に磁気層を形成したことを特徴とする請求項１〜７記載の偽造防止印刷物。
【発明の詳細な説明】
【０００１】
【発明の属する技術分野】
本発明はキップ、定期券、入場券等の偽造、特に複写による偽造の防止が図られた印刷物に関する。
【０００２】
【従来の技術】
従来、キップ、定期券や入場券等の区間や期限日時が印字される表面には、細かい文字やマーク等の地紋がエンドレス柄として印刷され、偽造を防止する手段とされてきているが、しかし、最近ではカラー複写機の精度が向上したことにより、多少の地紋や細かいマーク程度では、ほぼ同等品が複写されるようになってきており、目視にての判断が要求される場合に、その見分けが非常に困難なものとなってきている。
【０００３】
そこで、特開昭５９−２０２８９９号公報には、虹彩色の干渉縞を発現する外面を設けた印刷フィルムや転写箔を、直筆サインや写真、社章の表面に接着したり、転写することにより偽造を防止する方法が記載されている。しかし、この場合、一目で光沢が判別可能な虹彩色の干渉縞を発現する外面を設けた印刷フィルムや転写箔を事前に準備して貼り合わせるような方法であり、キップや定期券、入場券等の大量に、かつ直前に印字、発券されるようなものには、その都度貼り合わせたりすることができず、また転写箔とした場合にも、印字以外に転写する工程、及びそのための装置が必要となり、発券迄に時間を要するようになるとともに、非常にコストの高いものとなり、現実的ではないものであった。また一目で光沢が判別可能な虹彩色としていることにより、下地層が見えにくくなったり、あからさまに偽造防止を行っていることが判るので、大半の正規利用者にあまり良い印象を与えるものではなかった。
【０００４】
また、キップや入場券等は原反素材が一定幅に巻き取られたロールで供給され、一定間隔にてカットされながら使用されるものとなっており、この場合、一定位置に見当を合わせて何らかのマークを事前に印刷しておくことも不可能であり、偽造防止がより困難なものであった。
【０００５】
【発明が解決しようとする課題】
そこで、本発明は上記のような問題点を解決する為になされたもので、基材上に感熱もしくは感圧発色層を有し、直前に印字される印刷物に対する偽造防止を、より確実にしかも不必要な箇所にてあまり目立たせることなく、かつコスト的にも安価にできる偽造防止印刷物を提供するものである。
【０００６】
【課題を解決するための手段】
上記目的を達成するための本発明の解決手段は、基材層の片面に感熱もしくは感圧発色層を積層し、前記感熱もしくは感圧発色層上に地紋や細かいマークまたは単色のベタ印刷の印刷層を設け、当該印刷層上にパール顔料を混入した光干渉性反射層を形成した偽造防止印刷物において、前記光干渉性反射層が部分的に形成されており、当該光干渉性反射層が形成されていない部分から前記感熱もしくは感圧発色層の発色済み層が認識されるようにされていることを特徴とする偽造防止印刷物とすることである。このようにすると、印刷物上であまり目立たないように構成されているパール顔料を混入した光干渉性反射層が、感熱もしくは感圧により発色した層上で非常に目立つ色調として現れることとなり、そのことにより偽造防止が図られることとなるものである。
【０００７】
また、このように、基材層の片面に設けられた感熱もしくは感圧発色層上に印刷層、即ち、地紋や細かいマーク等や単色のベタ印刷を設けることにより、感熱もしくは感圧により発色する以外の箇所においての光干渉性反射層をより目立たないものとすることができる。
【０００８】
また、前記光干渉性反射層がある一定波長の光を反射し、他の波長の光を透過する層である偽造防止印刷物とすることで、より人間に判別し易い色相とすることができる。
【０００９】
また、前記感熱もしくは感圧発色層が一定条件にて黒色に発色する偽造防止印刷物とすることにより、前記光干渉性反射層を透過する波長を吸収することができ、本来の反射波長のみが反射し、それまで見えていたものと異なる色相が現れるので、目視にて容易に判別可能なものとなり、偽造防止効果がアップするものである。
【００１０】
次に、前記基材層の片面に感熱もしくは感圧発色層を設けた状態、または前記基材層の片面に前記感熱もしくは感圧発色層を積層し、前記感熱もしくは感圧発色層上に印刷層を設けた状態における表面の光線反射率が５０％以上である偽造防止印刷物とすることにより、前記光干渉性反射層以外での反射光が多くなるので、感熱もしくは感圧により発色する以外の箇所においての光干渉性反射層をより目立たないものとすることができるとともに、前記感熱もしくは感圧により発色する色相との差異を大きくすることができ、特に発色する色相が黒等の濃色でほとんど反射しない色相の場合には特にその差異が大きくなり、判別が容易となるものである。
【００１１】
次に、前記光干渉性反射層の反射光の色相と前記印刷層の色相とが同系色である偽造防止印刷物とすることで、感熱もしくは感圧により発色する以外の箇所においての光干渉性反射層を印刷層と見分けがつかないようにすることができるので、感熱もしくは感圧により発色した箇所においての虹彩色がより判別し易いものとすることができる。
【００１２】
また同様に、前記光干渉性反射層の透過光の色相と前記印刷層の色相とが同系色である偽造防止印刷物とすることで、本来透過することによって一定波長の光のみが反射し、ほぼ単色光が目視されることになるはずのところを、その透過光を強制的に反射させることにより入射光とほぼ同じ反射光となり、感熱もしくは感圧により発色する以外の箇所においての光干渉性反射層を印刷層と見分けがつかないようにすることができるので、感熱もしくは感圧により発色した箇所においての虹彩色がより判別し易いものとすることができる。
【００１３】
次に、前記光干渉性反射層上に透明保護層を積層した偽造防止印刷物とすることにより、表面強度を高くすることができ、摩擦や擦れによる光干渉性反射層の剥がれ等を防止することができ、確実な偽造防止を図ることが可能となるものである。
【００１４】
次に、前記基材層のもう一方の面に磁気層を形成した偽造防止印刷物とすることにより、目視以外の判別も可能となり、より確実な偽造防止を図ることが可能となるものである。
【００１５】
【発明の実施の形態】
以下、本発明の具体的な実施形態を図面を参照しながら説明する。図１〜３は本発明の一実施例を示す図であり、図４は光干渉性反射層の反射を説明するための図であり、図５は他の実施例を示す図であって、１０は偽造防止印刷物、１１は基材層、１２は感熱もしくは感圧発色層、１５は光干渉性反射層、１３はアンカー層、１４は表面印刷層、１６、１９は透明保護層、１７は磁気層、１８は裏面印刷層である。
【００１６】
まず、本発明を図１〜３に示したキップや入場券等に適した形態の偽造防止印刷物１について説明する。図１に示された偽造防止印刷物１は、表面が白色である紙による基材層２上に感熱発色層３を積層した後に、会社のマーク等による地紋柄（図示せず）である印刷層４が形成され、次いで、両端部に一定幅を有する光干渉性反射層５を印刷により設けたものである。
【００１７】
図１に示すような積層体を、通常はロール状に巻き取り、それを券売機等（図示せず）にセットする。その後、キップや入場券等を購入する際に券売機等により日付、乗車区間、通し番号等が感熱印字され、黒色に発色した状態でキップや入場券等が発行される。この発行後の状態を示したものが図２、図３である。但し、発色させることができればよいものであるので、券売機等に限られることはなく、検札時や他の場合にも適用可能なものである。図２において、券売機等により黒色に感熱印字された部分を発色済み層３ｂとし、その他の部分を未発色層３ａとして表している。このとき、偽造防止印刷物１の中央部分には光干渉性反射層５が形成されておらず、両端部のみに光干渉性反射層５が形成されている。この場合、光干渉性反射層５が形成されていない部分の発色済み層３ｂは通常の黒色として認識され、光干渉性反射層５が形成された部分の発色済み層３ｂは光干渉性反射層５の反射色相、例えば緑色のパール光沢を有する色相として認識される。
【００１８】
この原理を図４を用いて簡単に説明する。光干渉性反射層５中に含まれるパール顔料５ｂは、粉粒体の心材を特殊な物質で被覆することによって真珠光沢を発現するように構成された顔料であって、特に雲母粉の表面をチタン化合物で被覆したものが適している。この実施例では雲母粉を二酸化チタンで被覆したもの（例えば特開昭６０−６０１６３号公報参照）が使用されており、光干渉性反射層５は図４に示すようにパール顔料５ｂがビヒクル５ａ中に均一に分散し、且つ平行に配向された状態で形成されている。ここで、パール顔料５ｂは二酸化チタンの膜厚に応じて入射する可視光線Ｌの波長のいずれかが干渉して反射光Ｌ’は特定の色相を呈するものとなる。なお、使用するパール顔料５ｂの二酸化チタンの膜厚を一定に揃えて同色の反射光が得られるようにしてもよく、あるいは膜厚の異なるものを混合使用して種々の色相の反射光が得られるようにしてもよい。
【００１９】
ここで、雲母チタン系のパール顔料は、雲母粒子表面上の二酸化チタン被覆層の厚さによって様々な干渉色を呈する。即ち、二酸化チタンの量が生成物の１０〜２６重量％の場合、干渉色は通常銀色であるが、２６〜４０重量％では金色、４０〜５０重量％では二酸化チタン被覆層が増加する方向で、赤色、青色、緑色へと変化し、さらに５０〜６０重量％では高いオーダーの干渉色が得られるものである。またそのとき、透過光の色相は、その補色関係により紫、黄緑、橙、赤と順次変化していくものである。
【００２０】
また、この光干渉性反射層５については、その下地層が透視できる程度のものである場合、その下地層の色相によってその反射光が影響を受けるものである。即ち、下地層が白色に近く、光線反射率の高いものであると、光干渉性反射層５により特定の波長の反射光が得られたとしても、下地層にて反射されてくる反射光の方が非常に強いものとなるので、光干渉性反射層５による特定波長の反射光はほとんど目視不可能なものとなってしまう。よって、なるべく光干渉性反射層５による反射光を見やすいものとするには、なるべく黒色もしくは黒色に近い濃色のものを使用し、下地層による反射をさせないようにして、光干渉性反射層５による特定波長の反射光をより目立たせるものとすることが重要である。特に、上記に説明した雲母チタン系のパール顔料で銀色以外の反射光を有し、その補色関係に位置する色の透過光が存在する場合には、下地層を黒色とすることで、より明確な色相の反射光が得られるようになり、偽造防止効果が非常に高くなるものである。このような用途に適したパール顔料として、メルクジャパン株式会社製のイリオジン２００シリーズ等がある。さらに具体的には、平均粒径５〜２０μｍのパール顔料２０〜２５部を用い、ニトロセルロースが１０〜１２部、その他可塑剤、ポリエチレンワックス等の添加剤が含有されているメジウム７５〜８０部の中に混合したインキによりグラビア印刷されることにより本実施例は作製可能なものである。
【００２１】
また、印刷層４については、細かいエンドレス柄であってもよいし、単色のベタ印刷であってもよいものである。ただし、その色相については、上述したように淡色となっている方が光干渉性反射層５が目立たなくなるので良く、光線反射率が５０％以上となっているものが適したものである。即ち、このようにすることにより、不必要な箇所に光沢感が出ず、見にくい印刷物とならずに済むものであり、しかも、偽造防止を判別する箇所との差異が大きくなり、より容易に判別できるものとなるものである。
【００２２】
さらに、上記実施例では印刷層４の色相に触れなかったが、印刷層４の色相と干渉性反射層５の反射光または透過光の色相を同系統の色相とすることにより、感熱もしくは感圧により発色している以外の箇所ではほとんど光干渉性反射層５による光沢が見えなくなり、感熱もしくは感圧により発色している箇所の光沢感との差異が明確になり、偽造防止効果がより高くなるものである。また、偽造防止印刷物１の表面に光干渉性反射層５の表面保護の為に透明樹脂による保護層を設けてもよく、また、機械読み取り可能な用途には、裏面に磁気層が形成されたものとして、より偽造防止効果を高めたものとしてもよいものである。
【００２３】
さらに、感熱発色層としては、従来公知の熱により発色する発色剤と、融点の高いバインダーとからなるものを用いることができる。例えば、熱により発色する発色剤としては、
(1) ステアリン酸第二鉄、ベヘン酸第二鉄のごとき長鎖脂肪酸鉄と没食子酸、没食子酸メチルエステル、没食子酸ラウリルエステル、プロトカテキユ酸、プロトカテキユ酸エチルエステル、３・４−ジハイドロオキシベンゾフェノンのごときフェノール類との組み合わせ
(2) ベヘン酸第二銅のごとき長鎖脂肪酸金属とジフェニルカルバジドのごとき金属キレート剤の組み合わせ
(3) フェノール類とある種のフォトクローム性ベンゾインドリノスピロピラン化合物
(4) クリスタルバイオレットラクトンのごときロイコ染料とフェノールとの組み合わせ
等から選択すればよく、同様に、バインダーとしては、酢酸セルローズ、メチルセルローズ、ハイドロオキシエチルセルローズ、ハイドロオキシプロピルセルローズ、ポリビニルアルコールなどの１８０℃以上の高融点のものから選択されることが好ましいものである。
【００２４】
次に、図５により他の実施例について説明を行う。図５は定期券に利用された場合の偽造防止印刷物１０の積層構成を示す図であり、透明な２軸延伸ポリエステルフィルムからなる基材層１１の表面に感熱もしくは感圧発色層１２、アンカー層１３を積層し、そのアンカー層１３上に白色のベタ印刷及び地紋等の柄印刷からなる表面印刷層１４が印刷され、さらにその表面印刷層１４面に光干渉性反射層１５および耐薬品性、感熱印字用サーマルヘッド特性を有する透明保護層１６が順次積層され、裏面には磁気層１７、白色文字等による裏面印刷層１８および透明保護層１９が順次積層された構成からなるものである。
【００２５】
本実施例においても、前記実施例と全く同様であり、使用時に期限、利用区間、金額、氏名等が感熱印字され、その感熱印字により発色した部分に光干渉性反射層１５が形成されていればよいものであり、そのような構成とすることにより、前記実施例と同様の効果が得られるものである。
【００２６】
以上２つの実施例により説明を行ったが、本発明はこれらに限定されるものではなく、例えば、発色層については感熱発色層の説明しか行わなかったが、当然、同一面にカプセル化された発色剤と顕色剤を設ける等して形成された感圧発色層を用いてもよく、それらは用途により使い分ければよいものである。また、用途についても、キップ、定期券、入場券についての説明を行ったが、金券、証券類等、目視判断により利用される可能性のあるものについては如何なるものであってもよいのは勿論である。また、感熱もしくは感圧発色層を発色させ、光干渉性反射層にて判別するための形状としては、細い線による文字等よりも、ある程度の面積を有するもののほうがよく、黒く塗りつぶした□印、☆印や白抜き文字等が適しているものである。
【００２７】
【発明の効果】
以上のように、本発明は基材層の片面に感熱もしくは感圧発色層を積層し、前記感熱もしくは感圧発色層上にパール顔料を混入した光干渉性反射層を形成した構成の偽造防止印刷物であるので、印刷物上ではあまり目立たないように形成されているパール顔料を混入した光干渉性反射層が感熱もしくは感圧により発色した色相上で明確に反射し、目視可能となるので偽造防止が図られるようになるものである。
【００２８】
また、光干渉性反射層がある一定波長を反射し、他の波長は透過する層としたり、感熱もしくは感圧発色層が一定条件にて黒色に発色するものとしたり、基材層の片面に感熱もしくは感圧発色層を積層した状態、または前記基材層の片面に感熱もしくは感圧発色層および印刷層を積層した状態における表面の光線反射率が５０％以上のものとしたり、光干渉性反射層の反射光または透過光の色相と前記印刷層の色相とが同系色とすることにより、発色しない箇所と発色する箇所の色相をより明確にし、偽造防止効果をさらにアップさせることができるようになるものである。
【００２９】
さらに、光干渉性反射層上に透明保護層を積層することにより、反射波長の減衰を招くことなく、耐摩擦性を持たせることが可能となり、確実な偽造防止が図れるものである。また、基材層のもう一方の面に磁気層を形成することにより、目視以外の判別も可能となり二重のチェックとなり、より確実な偽造防止が図れるものである。
【図面の簡単な説明】
【図１】本発明の偽造防止印刷物の発色前の状態を示す一実施例の部分拡大断面図。
【図２】本発明の偽造防止印刷物の発色後の状態を示す一実施例の部分拡大断面図。
【図３】本発明の偽造防止印刷物の発色後の状態を示す平面図。
【図４】同実施例の光干渉性反射層の拡大断面図。
【図５】偽造防止印刷物の他の実施例を示す部分拡大断面図。
【図１】
0003802115.tif 000002
【図２】
0003802115.tif 000003
【図３】
0003802115.tif 000004
【図４】
0003802115.tif 000005
【図５】
0003802115.tif 000006